(57)【要約】【課題】Ｘ線撮影時に未撮影のＸ線カセッテと撮影済みのＸ線カセッテを混同させることなく、Ｘ線カセッテ収納容器の容量を常に最大限に利用する。【解決手段】Ｘ線カセッテ収納容器５の収納部２０の本体２１にＸ線カセッテの並列方向に移動する仕切手段である仕切板２２を配設する。【選択図】　　　図７
2004126204.tif 000002
【特許請求の範囲】
【請求項１】
本体に複数のＸ線カセッテを並べて収納するためのＸ線カセッテ収納容器において、
前記本体の内部に、未撮影の前記Ｘ線カセッテ用の空間と撮影済みの前記Ｘ線カセッテ用の空間とを可変に仕切る仕切手段を有することを特徴とするＸ線カセッテ収納容器。
【請求項２】
前記仕切手段は、前記未撮影のＸ線カセッテ及び前記撮影済みのＸ線カセッテの数に応じて、その位置を変えられることを特徴とする請求項１に記載のＸ線カセッテ収納容器。
【請求項３】
前記仕切手段は、前記撮影済みのＸ線カセッテの前記本体への挿入により、その位置を変えるものであることを特徴とする請求項１又は２に記載のＸ線カセッテ収納容器。
【請求項４】
請求項１〜３のいずれか一項に記載のＸ線カセッテ収納容器と、Ｘ線発生装置を搭載した移動台車を有することを特徴とする移動型Ｘ線装置。
【発明の詳細な説明】
【０００１】
【発明の属する技術分野】
本発明は、Ｘ線カセッテ収納容器及び移動型Ｘ線装置に係り、特に移動型Ｘ線装置にＸ線発生装置とともに搭載され、複数のＸ線カセッテを収納するためのＸ線カセッテ収納容器及び移動型Ｘ線装置に関する。
【０００２】
【従来の技術】
近年、病院等で行われるＸ線撮影は、その撮影専用の部屋のみでなく、被検者のいる病室等でも行われるようになってきている。そのため、移動型Ｘ線装置が開発されており、その移動型Ｘ線装置には、Ｘ線発生装置とＸ線撮影に使用するＸ線カセッテを収納するＸ線カセッテ収納容器とが搭載されている。
【０００３】
従来、移動型Ｘ線装置に搭載されるＸ線カセッテ収納容器として、Ｘ線カセッテを挿入する装填口とＸ線カセッテを取り出す取出口を備えたものがある（例えば、特許文献１参照。）。これは、病室などＸ線撮影を行う場所に移動型Ｘ線装置を移動させるときに、そのＸ線カセッテ収納容器に装填口から未撮影のＸ線カセッテを収納しておき、Ｘ線撮影に使用するときには取出口からそのＸ線カセッテを一枚ずつ取り出すというものである。
【０００４】
【特許文献１】
特開２０００−５１１８９号公報（第３頁、第４図）
【０００５】
【発明が解決しようとする課題】
しかしながら、上記特許文献１において、撮影済みのＸ線カセッテを撮影前のそれを取り出したＸ線カセッテ収納容器に再び装填口から挿入して収納する場合、そのＸ線カセッテ収納箱に未撮影のＸ線カセッテが残っていると、未撮影のＸ線カセッテと撮影済みのＸ線カセッテとを混同してしまう可能性がある。
【０００６】
そのため、Ｘ線カセッテ収納容器中の未撮影のＸ線カセッテをすべて取り出してしまったことに気付かず、さらにＸ線撮影に使用するためにＸ線カセッテを取り出そうとすると、取出口からは撮影済みのＸ線カセッテが再び取り出され、再びＸ線撮影に使用されてしまうおそれがあるという問題を有している。
【０００７】
この問題を解決するためには、未撮影のＸ線カセッテ用のＸ線カセッテ収納容器と撮影済みのＸ線カセッテ用のカセッテ収納容器というように複数のＸ線カセッテ収納容器を用意するという方法が考えられる。ここで、特許文献１では移動型Ｘ線装置に二つのＸ線カセッテ収納容器を搭載してあるが、これは、病院内を巡回してＸ線撮影を行う場合、一度に多くのＸ線カセッテを運べるようにするためであると考えられる。
【０００８】
また、仮に実際に未撮影のＸ線カセッテ用のＸ線カセッテ収納容器と撮影済みのＸ線カセッテ用のＸ線カセッテ収納容器とを別々に設けたのでは、巡回開始時は撮影済みのＸ線カセッテ用のＸ線カセッテ収納容器は空であり、巡回終了時は未撮影のＸ線カセッテ用のＸ線カセッテ収納容器が空になり、常にＸ線カセッテ収納容器に使用可能であるはずの空間を残したまま、Ｘ線カセッテ収納容器を移動させていることになり、無駄が多いという問題を有している。
【０００９】
本発明は前記した点に鑑みてなされたものであり、Ｘ線撮影時に未撮影のＸ線カセッテと撮影済みのＸ線カセッテとを混同することなく、Ｘ線カセッテ収納容器の空間をより効率的に利用することのできるＸ線カセッテ収納容器と、そのＸ線カセッテ収納容器を備えた移動型Ｘ線装置を提供することを目的とするものである。
【００１０】
【課題を解決するための手段】
前記目的を達成するため請求項１に記載の発明に係るＸ線カセッテ収納容器は、
本体に複数のＸ線カセッテを並べて収納するためのＸ線カセッテ収納容器において、
前記本体の内部に、未撮影の前記Ｘ線カセッテ用の空間と撮影済みの前記Ｘ線カセッテ用の空間とを可変に仕切る仕切手段を有することを特徴とするものである。
【００１１】
この請求項１に記載の発明によれば、仕切手段により、一つのＸ線カセッテ収納容器に未撮影のＸ線カセッテと撮影済みのＸ線カセッテとを区分けしつつ、空間をより効率的に利用して収納することができる。
【００１２】
また、請求項２に記載の発明は、請求項１において、
前記仕切手段は、前記未撮影のＸ線カセッテ及び前記撮影済みのＸ線カセッテの数に応じて、その位置を変えられることを特徴とするものである。
【００１３】
この請求項２に記載の発明によれば、Ｘ線カセッテ収納容器から未撮影のＸ線カセッテをｎ枚取り出した後は、仕切手段を移動させることにより、撮影済みのＸ線カセッテ用の収納空間をｎ枚分拡大することができる。
【００１４】
また、請求項３に記載の発明は、請求項１又は２において、
前記仕切手段は、前記撮影済みのＸ線カセッテの前記本体への挿入により、その位置を変えるものであることを特徴とするものである。
【００１５】
この請求項３に記載の発明によれば、Ｘ線カセッテ収納容器に撮影済みのＸ線カセッテを挿入することにより、仕切手段の位置を変えることができる。
【００１６】
したがって、Ｘ線撮影にＸ線カセッテが使用され、Ｘ線カセッテ収納容器に収納されている未撮影のＸ線カセッテと撮影済みのＸ線カセッテとの割合が変化した場合でも、仕切手段によりそれらを混同することなくＸ線カセッテ収納容器に収納することが可能となる。
【００１７】
また、請求項４に記載の発明に係る移動型Ｘ線装置は、
請求項１〜３のいずれか一項に記載のＸ線カセッテ収納容器と、Ｘ線発生装置を搭載した移動台車を有することを特徴とするものである。
【００１８】
この請求項４に記載の発明によれば、請求項１〜３のいずれか一項に記載のＸ線カセッテ収納容器を有するため、Ｘ線カセッテ収納容器の空間をより効率的に利用することのできるＸ線カセッテ収納容器を備えた移動型Ｘ線装置の実現が図れる。
【００１９】
【発明の実施の形態】
以下、本発明の実施形態を図１から図１１を参照して説明する。
【００２０】
尚、本実施形態には、用語を断定的に説明している記載があるが、これは、実施形態を説明するものであり、本発明はこれらの記載に限定されない。
【００２１】
〔第１の実施の形態〕
本発明の第１の実施の形態を図１から図８を参照して説明する。
【００２２】
まず、本発明に係るＸ線カセッテ収納容器を有する移動型Ｘ線装置の実施形態を図１から図３を参照して説明する。
【００２３】
図１に示すように、移動型Ｘ線装置１は移動台車２を有しており、移動台車２には、Ｘ線発生装置３及びＸ線制御ユニット４が搭載されている。また移動型Ｘ線装置１には、　Ｘ線カセッテ収納容器５が着脱可能に搭載されるようになっている。
【００２４】
移動台車２の前端側には、支柱６が立設されており、この支柱６には、アーム７が支柱６に対して昇降自在にかつ回転自在に取り付けられている。アーム７の先端部には、Ｘ線発生装置３が取り付けられており、このＸ線発生装置３は、アーム７の支柱６に対する上下位置及び方向を調節することにより、任意の撮影位置に固定することが可能となっている。移動台車２の内部には、Ｘ線制御ユニット４が収納されている。
【００２５】
移動台車２の前方下面の両側には、方向が可変である２つの自在車輪８が取り付けられており、後方下面の両側には、方向が移動台車２に対し一定である２つの固定車輪９が取り付けられている。また、移動台車２の後端側上部には、この自在車輪８及び固定車輪９の方向を操作し、移動台車２を移動させるためのハンドル１０が取り付けられている。
【００２６】
移動型Ｘ線装置１に搭載されるＸ線カセッテ収納容器５の一側面上方には、取っ手１１が取り付けられている。また、Ｘ線カセッテ収納容器５の下面には、自在車輪１２取り付けられており、Ｘ線カセッテ収納容器５のみでも押し動かすことができるようになっている。Ｘ線カセッテ収納容器５は、図２に示すように、ハンドル１０を操作する操縦者の両側方に位置するように移動台車２に装着される。
【００２７】
図３に示すように、Ｘ線カセッテ収納容器５と移動台車２とには、互いに対応するようにそれぞれ凸状の結合部１３と凹状の結合部１４とが配設されている。Ｘ線カセッテ収納容器５の結合部１３には、昇降自在にピン１５が配設されており、このピン１５は下降させられた場合、結合部１３の下面から突出する。移動台車２の結合部１４には、結合部１３の下面から突出したピン１５が係止される溝１６が形成されている。
【００２８】
Ｘ線カセッテ収納容器５の側面上部には、レバー１７が配設されており、ピン１５はワイヤ１８を介してレバー１７に連結されている。レバー１７を操作することで、ピン１５の溝１６に対する係合又は解除動作を行うことができるようになっている。また、移動台車２の結合部１４には、溝１６にピン１５が係止されているか否かを検出する検出器１９が設けられており、移動台車２とＸ線カセッテ収納容器５の結合を確認することが可能である。
【００２９】
次に、Ｘ線カセッテ収納容器の構成を図４から図８を参照して説明する。
【００３０】
図４及び図５に示すように、本実施形態におけるＸ線カセッテ収納容器５の収納部２０は、箱型を有し上面が開放された本体２１を有しており、本体２１の内側には仕切手段である仕切板２２が配設されている。
【００３１】
本体２１においてＸ線カセッテ２３の出し入れは上方から任意のＸ線カセッテ２３を取り出す、又は差し込むというように行われる。また、本体２１の互いに対向する両側面２４ａ，２４ｃには、底面と平行な方向に延在する直線状の係合孔２５が穿設されている。
【００３２】
仕切板２２の両側面であって係合孔２５に対応する高さ位置にはそれぞれつめ２６が突設されており、これら各つめ２６は本体２１の両側面２４ａ，２４ｃの係合孔２５に係合されている。
【００３３】
また、仕切板２２のつめ２６は本体２１の係合孔２５に係合させた状態で、摺動させることにより、仕切板２２を本体２１の内部において、係合孔２５に沿って移動可能とされている。
【００３４】
したがって、本体２１の内部は、図７に示すように，仕切板２２を境界として、一方を未撮影Ｘ線カセッテ収納部２７と、他方を撮影済みＸ線カセッテ収納部２８とに区分けされる。
【００３５】
次に、本実施形態の作用について図６から図８を参照して説明する。
【００３６】
図６に示すように、Ｘ線カセッテ収納容器５の収納部２０に未撮影Ｘ線カセッテ２３ａのみを収納する場合には、仕切板２２を係合孔２５が穿設されていない両側面のうちの一方、例えば側面２４ｂに接近させ、撮影済みＸ線カセッテ収納部２８を形成せず、収納部２０の収納空間をすべて未撮影Ｘ線カセッテ２３ａを収納するための未撮影Ｘ線カセッテ収納部２７にする。
【００３７】
例えば、図６の状態から未撮影Ｘ線カセッテ２３ａがｎ枚取り出され、撮影に使用された場合には、仕切板２２を側面２４ｄ側へｎ枚分移動させ、未撮影Ｘ線カセッテ収納部２７をｎ枚分縮小させる。この仕切板２２の移動により、仕切板２２と側面２４ｂとの間には、Ｘ線カセッテ２３がｎ枚入る撮影済みＸ線カセッテ２３ｂを収納するための撮影済みＸ線カセッテ収納部２８が形成されるので、そこに収納部２０の未撮影Ｘ線カセッテ収納部２７から取り出されＸ線撮影に使用され撮影済みとなったｎ枚の撮影済みＸ線カセッテ２３ｂを収納する。
【００３８】
収納部２０から未撮影のＸ線カセッテがなくなれば、図８に示すように，仕切板２２を側面２４ｄに接近させて未撮影Ｘ線カセッテ収納部２７を形成させず、収納部２０の収納空間をすべて撮影済みＸ線カセッテ収納部２８にする。
【００３９】
したがって、本実施形態においては、Ｘ線カセッテ収納容器５の収納部２０がＸ線カセッテ２３の並列方向に移動する仕切手段である仕切板２２を有するため、未撮影Ｘ線カセッテ２３ａと撮影済みＸ線カセッテ２３ｂを混同することなく一つの収納部２０に収納することができる。
【００４０】
また、開放された上面から確認される仕切板２２又は係合孔２５におけるつめ２６の位置から収納部２０に収納されている未撮影Ｘ線カセッテ２３ａの数量を容易に把握することができる。
【００４１】
〔第２の実施の形態〕
本発明の第２の実施の形態を図９から図１１を参照して説明する。
【００４２】
尚、移動型Ｘ線装置にＸ線カセッテ収納容器が搭載される様子は第１の実施の形態と同様である。
【００４３】
図６から図８はＸ線カセッテ収納容器の縦断面図をそれぞれ示している。
【００４４】
本実施形態におけるＸ線カセッテ収納容器５の収納部２９の本体３０の上面一側には、挿入口３１が形成されるとともに、本体３０の上面他側には取出口３２が形成されている。
【００４５】
本体３０の内部であって挿入口３１の形成側上方には、平板状のカセッテ押し３３がその上端を支点として揺動自在に取付けられている。このカセッテ押し３３の中途部には、一端部が本体３０の上部内面に接続されたばね３４の他端部が接続されており、このばね３４により、カセッテ押し３３の下端部が上方に向けて揺動する方向に付勢されている。
【００４６】
また、本体３０上面の挿入口３１と取出口３２の間には、挿入口３１から本体３０内部に垂下して使用する仕切手段である仕切布３５を巻き取る巻取りローラ３６が配設されており、その枢軸３７は挿入口３１と平行に軸支されている。また、この枢軸３７の一端部には巻取りローラ３６を回転動作させるための巻取りハンドル３８が取付けられている。この巻取りハンドル３８の回転操作により、巻取りローラ３６を正逆回転動作させることにより、仕切布３５を挿入口３１から本体３０の内部に垂下させることができるとともに、仕切布３５を巻取りローラ３６に巻き取ることができるようになっている。
【００４７】
本体３０の内部底面であって取出口３２の形成部分に対応する位置には、取出口３２と平行に溝３９が形成されており、この溝３９の内側には、Ｘ線カセッテ４０が載置される断面形状ほぼＬ字状のカセッテ受け４１が本体３０の側面側内面に沿って昇降自在に配設されている。本体３０の取出口３２側の側面内部には、カセッテ受け４１に対して係脱自在とされたつめ４２がばね４３により垂設されており、このつめ４２には、本体３０の外側から操作可能な取出しハンドル４４が取付けられている。
【００４８】
次に、本実施形態の作用について図６から図８を参照して説明する。
【００４９】
まず、最初に収納部２９に未撮影Ｘ線カセッテ４０ａのみが収納される場合は、仕切布３５は使用しないので、巻取りローラ３６に巻き取っておく。
【００５０】
未撮影Ｘ線カセッテ４０ａは、ばね３４により上方に付勢しているため挿入口３１の下方を塞いでいるカセッテ押し３３をばね３４の付勢力に抗して押し下げるようにして挿入口３１から収納部２９に収納される。
【００５１】
収納部２９に収納された未撮影Ｘ線カセッテ４０ａは、押し下げたカセッテ押し３３の上方に戻ろうとする付勢力により、カセッテ押し３３の下端部に押され取出口３２の下方側へ移動され、取出口３２の下方底部の溝３９に配設されたカセッテ受け４１に載置される。また、すでに収納されていた未撮影Ｘ線カセッテ４０ａが存在していれば、それらとともに押し並べられる。
【００５２】
収納部２９に収納した未撮影Ｘ線カセッテ４０ａを取り出すには、ばね３４の付勢力に抗して取出しハンドル４４を下方に押し下げ、つめ４２をカセッテ受け４１に係止させる。その後取出しハンドル４４を押し下げていた力を外すと、ばね４３が収縮し、つめ４２に係止しているカセッテ受け４１が上昇し、カセッテ受け４１に載置された未撮影Ｘ線カセッテ４０ａの上端部が取出口３２から突出される。未撮影Ｘ線カセッテ４０ａを取出した後は、取出しハンドル４４を操作して、カセッテ受け４１とつめ４２との係止を解除する。すると、カセッテ受け４１は、取出口３２下方の溝３９に下降し、カセッテ押し３３の下端部に押された最も取出口３２に近い未撮影Ｘ線カセッテ４０ａ、つまり、Ｘ線カセッテ収納箱２９に収納された順番どおりに未撮影Ｘ線カセッテ４０ａがカセッテ受け４１に載置される。
【００５３】
Ｘ線撮影に使用された撮影済みＸ線カセッテ４０ｂとすでに収納されている未撮影Ｘ線カセッテ４０ａを収納部２９の内部で仕切る場合は、図６に示すように、撮影済みＸ線カセッテ４０ｂを挿入する前に、仕切手段である仕切布３５を巻取りローラ３６から引き伸ばし、挿入口３１からＸ線カセッテ収納箱２９の内部に垂下させておく。
【００５４】
仕切布３５を垂下させた後から挿入された撮影済みＸ線カセッテ４０ｂは、前述した未撮影Ｘ線カセッテ４０ａを挿入した場合と同じようにカセッテ押し３３により、取出口３２の下方側に押し並べられる。
【００５５】
撮影済みＸ線カセッテ４０ｂの前に垂下された仕切布３５は、巻取りローラ３６から引き伸ばされながら、撮影済みＸ線カセッテ４０ｂとともに取出口３２の下方側へ移動し、図７に示すように、未撮影Ｘ線カセッテ４０ａと撮影済みＸ線カセッテ４０ｂに挟まれる。
【００５６】
収納部２９から未撮影Ｘ線カセッテ４０ａが取り出されると、カセッテ押し３３により、収納部２９に収納されているＸ線カセッテは、取出口３２の下方側へ押され、収納された順にカセッテ受け４１に載置される。未撮影Ｘ線カセッテ４０ａと撮影済みＸ線カセッテ４０ｂとに挟まれた仕切布３５も、巻取りローラ３６から引き伸ばされながら取出口３２の下方側へと移動する。
【００５７】
収納部２９に収納されていた最後の未撮影Ｘ線カセッテ４０ａが取り出されると、カセッテ受け４１には最初に収納された撮影済みＸ線カセッテ４０ｂが載置される。仕切布３５は本体３０の内部側面とその撮影済みＸ線カセッテ４０ｂに挟まれ、仕切布３５が撮影済みＸ線カセッテ４０ｂの上面を被覆した状態となる。
【００５８】
この状態で収納部２９からＸ線カセッテ４０を取り出そうとすると、図８に示すように、仕切布３５に覆われた撮影済みＸ線カセッテ４０ｂの上端部が取出口３２から突出する。仕切布３５に覆われたＸ線カセッテ４０は、仕切布３５より挿入口３１の下方側にあった、つまり後に挿入されたＸ線カセッテ４０であるので、撮影済みＸ線カセッテ４０ｂであると判断できる。
【００５９】
また、仕切布３５が着色された又は不透明のシートであれば、取り出し動作をせずに取出口３２から中をのぞくだけで次に取り出されるＸ線カセッテ４０が撮影済みＸ線カセッテ４０ｂであるか否かが判断できる。また、仕切手段は、仕切布３５に限られず、フィルムシート等の可撓性シートや網等でもよい。
【００６０】
収納部２９には、撮影済みＸ線カセッテ４０ｂのみが収納されていることが確認され、仕切手段である仕切布３５が必要でなくなれば、巻取りハンドル３８を操作して、枢軸３７を回転させ、仕切布３５を巻取りローラ３６に巻き取る。
【００６１】
したがって、本実施形態においては、挿入口３１と取出口３２とが配設されたＸ線カセッテ収納容器５の収納部２９において、仕切手段である仕切布３５は常に未撮影Ｘ線カセッテ４０ａと撮影済みＸ線カセッテ４０ｂとの境界に存在し、その境界とともに移動するため、その仕切布３５を垂下させて用いることにより収納部２９の内部は区分けされ、垂下前に収納されていた未撮影Ｘ線カセッテ４０ａと垂下後に挿入した撮影済みＸ線カセッテ４０ｂとを混同せずに一つの収納部２９に収納することができる。
【００６２】
また、取出口３２から取り出されるＸ線カセッテ４０は、仕切布３５がＸ線カセッテ４０を被覆して取出口３２から現れるまでは、予め収納されていた未撮影Ｘ線カセッテ４０ａであり、仕切布３５が取出口３２からＸ線カセッテ４０を被覆して現れた場合、その後取り出されるＸ線カセッテ４０は撮影済みＸ線カセッテ４０ｂであることを容易にかつ確実に判断することができる。
【００６３】
【発明の効果】
以上述べたように請求項１に記載の発明に係るＸ線カセッテ収納容器は、仕切手段により、一つのＸ線カセッテ収納容器を未撮影のＸ線カセッテと撮影済みのＸ線カセッテとに仕切るようにしたので、それらを混同させることなく収納できつつ、空間をより効率的に利用して収納できる。
【００６４】
そのため、未撮影のＸ線カセッテ専用のＸ線カセッテ収納容器及び撮影済みのＸ線カセッテ専用のＸ線カセッテ収納容器を必要としなくなり、移動させるＸ線カセッテ収納容器を小さく又は少なくすることが可能となる。
【００６５】
また、請求項２に記載の発明に係るＸ線カセッテ収納容器は、仕切手段の位置を変えられるとしたので、Ｘ線カセッテ収納容器に収納された未撮影のＸ線カセッテ及び撮影済みのＸ線カセッテの数が変化した場合でも、その位置を移動させることによりそれらを混同することなく収納することができる。
【００６６】
そのため、Ｘ線カセッテ収納容器に収納された未撮影のＸ線カセッテの数が減少した場合は、その位置を移動させ、収納することのできる撮影済みのＸ線カセッテの数を増加させることにより、撮影済みのＸ線カセッテが発生していないにも係わらず撮影済みＸ線カセッテ用のＸ線カセッテ収納空間の確保や、未撮影のＸ線カセッテがなくなったにもかかわらず未撮影Ｘ線カセッテ用のＸ線カセッテ収納空間の保持といったようなことがなくなり、そのＸ線カセッテ収納容器の収納空間をより効率的に利用することができる。
【００６７】
また、請求項３に記載の発明に係るＸ線カセッテ収納容器は、撮影済みのＸ線カセッテの本体への挿入により仕切手段の位置が変わるので、特別な操作を必要とせずに、請求項１又は２に記載のＸ線カセッテ収納容器の効果を得ることができる。
【００６８】
また、請求項４に記載の発明に係る移動型Ｘ線装置は、請求項１〜３のいずれか一項に記載のＸ線カセッテ収納容器を有しているので、未撮影のＸ線カセッテと撮影済みのＸ線カセッテとを混同することなく、効率的にＸ線カセッテとＸ線発生装置とを運搬することができる等の効果を奏する。
【図面の簡単な説明】
【図１】本発明に係るＸ線カセッテ収納容器を搭載した移動型Ｘ線装置を示す側面図である。
【図２】図１に示すＸ線カセッテ収納容器を搭載した移動型Ｘ線装置の平面図である。
【図３】移動台車とＸ線カセッテ収納容器を結合させる手段を示した模式図である。
【図４】本発明に係るＸ線カセッテ収納容器の第１の実施形態を示した斜視図である。
【図５】図４に示す収納部において、仕切板が配設されている様子を示した係合孔に垂直なＸ線カセッテ収納箱の断面図である。
【図６】図４に示す収納部において、未撮影のＸ線カセッテのみを収納した状態の収納部を示す側面図である。
【図７】図４に示す収納部において、未撮影のＸ線カセッテと撮影済みのＸ線カセッテとを収納した状態の収納部を示す側面図である。
【図８】図４に示す収納部において、撮影済みのＸ線カセッテのみを収納した状態の収納部を示す側面図である。
【図９】本発明に係るＸ線カセッテ収納容器の第２の実施形態を示した縦断面図である。
【図１０】図９に示す収納部において、未撮影のＸ線カセッテと撮影済みのＸ線カセッテとを収納した状態の収納部を示す縦断面図である。
【図１１】図９に示す収納部において、撮影済みのＸ線カセッテのみを収納した状態の収納部を示す縦断面図である。
【符号の説明】
１　移動型Ｘ線装置
２　移動台車
３　Ｘ線発生装置
５　Ｘ線カセッテ収納容器
６　支柱
７　アーム
１０　ハンドル
１３　（Ｘ線カセッテ収納容器の）結合部
１４　（移動台車の）結合部
１５　ピン
２０　収納部
２１　本体
２２　仕切板
２３　Ｘ線カセッテ
２３ａ　未撮影Ｘ線カセッテ
２３ｂ　撮影済みＸ線カセッテ
２５　係合孔
２６　つめ
２７　未撮影Ｘ線カセッテ収納部
２８　撮影済みＸ線カセッテ収納部
２９　収納部
３０　本体
３１　挿入口
３２　取出口
３３　カセッテ押し
３５　仕切布
４０　Ｘ線カセッテ
４０ａ　未撮影Ｘ線カセッテ
４０ｂ　撮影済みＸ線カセッテ
【図１】
2004126204.tif 000003
【図２】
2004126204.tif 000004
【図３】
2004126204.tif 000005
【図４】
2004126204.tif 000006
【図５】
2004126204.tif 000007
【図６】
2004126204.tif 000008
【図７】
2004126204.tif 000009
【図８】
2004126204.tif 000010
【図９】
2004126204.tif 000011
【図１０】
2004126204.tif 000012
【図１１】
2004126204.tif 000013